(57)【要約】【課題】安定した自立状態を保つことが可能な商品を展示するための展示体を提供する。【解決手段】商品を展示状態で展示しつつ、展示面上に自立可能な展示体が提供される。前記展示体は、第１側部、第２側部及び下部を有する表面部材と、前記展示状態で、前記表面部材と対面するように配置され、前記商品を前記表面部材の反対側に突出する態様で支持する裏面部材と、前記展示状態で、前記表面部材及び前記裏面部材を起立させる台座とを備える。前記台座は、前記展示状態で、前記裏面部材との間に前記展示面に面する空間を形成するように、前記表面部材の前記第１側部から前記表面部材の前記第２側部まで延びる。【選択図】図９
2017019533.tif 000002
【特許請求の範囲】
【請求項１】
商品を展示状態で展示しつつ、展示面上に自立可能な展示体であって、
第１側部、第２側部及び下部を有する表面部材と、
前記展示状態で、前記表面部材と対面するように配置され、前記商品を前記表面部材の反対側に突出する態様で支持する裏面部材と
前記展示状態で、前記表面部材及び前記裏面部材を起立させる台座と、
を備え、
前記台座は、前記展示状態で、前記裏面部材との間に前記展示面に面する空間を形成するように、前記表面部材の前記第１側部から前記表面部材の前記第２側部まで延びる、
展示体。
【請求項２】
前記台座は、前記展示状態で、前記裏面部材に支持された状態の前記商品の少なくとも一部を囲むように、前記表面部材の前記第１側部から前記表面部材の前記第２側部まで延び、前記第１側部側から前記第２側部側に向かって前記商品を押しつつ、前記第２側部側から前記第１側部側に向かって前記商品を押すように、前記商品に当接する、
請求項１に記載の展示体。
【請求項３】
前記第１側部及び前記第２側部の少なくとも一方と、前記台座とは、ミシン目が形成された境界線を挟んで一体的に構成されている、
請求項１又は２に記載の展示体。
【請求項４】
前記台座は、前記第１側部に連結される第１側壁部と、前記第２側部に連結される第２側壁部と、前記展示状態で、前記第１側壁部と前記第２側壁部とを連結し、前記裏面部材に前記空間を挟んで対面する後壁部とを有し、
前記後壁部は、前記展示状態で、前記展示面に接触し、
前記表面部材の前記下部には、前記後壁部とともに前記展示面に接触して、当該展示体を起立させる突起が形成されている、
請求項１から３のいずれかに記載の展示体。
【請求項５】
前記商品は、商品本体と、前記商品本体を収容する容器とを有し、
前記容器は、底面部と、前記底面部から起立する側面部と、前記側面部における前記底面部の反対側の端部から周方向外方へ延びるフランジ部とを含み、
前記裏面部材は、前記側面部を前記底面部側から前記底面部の反対側の端部側まで通すことのできる形状の引っ掛け孔を有し、
前記商品は、前記裏面部材における前記引っ掛け孔の周辺の部位に前記フランジ部を引っ掛けることにより、前記表面部材の反対側に突出する態様で前記裏面部材に支持される、
請求項１から４のいずれかに記載の展示体。
【請求項６】
前記裏面部材の端部に連結され、前記展示状態で、前記裏面部材に対面するように折り返されて、前記裏面部材に対し前記フランジ部を押えるように、前記裏面部材と前記表面部材との間に配置される押え面部
をさらに備える、
請求項５に記載の展示体。
【請求項７】
前記裏面部材の端部に連結され、前記展示状態で、前記裏面部材に対面するように折り返されて、前記裏面部材と前記表面部材との間に配置される押え面部
をさらに備え、
前記押え面部は、前記展示状態で、前記裏面部材の反対側に膨出する湾曲面を描き、前記裏面部材との間に一定の空間を形成するように構成される、
請求項１から６のいずれかに記載の展示体。
【請求項８】
前記台座は、前記展示状態で、前記表面部材及び前記裏面部材を前記裏面部材側に傾くように起立させる、
請求項１から７のいずれかに記載の展示体。
【請求項９】
請求項１から８のいずれかに記載の展示体と、
前記展示体に支持された状態の前記商品と
を備える、パッケージ製品。
【発明の詳細な説明】
【技術分野】
【０００１】
本発明は、商品を展示状態で展示しつつ、展示面上に自立可能な展示体、及びこれを備えるパッケージ製品に関する。
【背景技術】
【０００２】
従来より、ブリスターパック等と呼ばれる、商品を展示するための様々な展示体が知られている。この種の展示体は、吊り下げにより陳列されることが多いが、陣列棚等の展示体を載置すべき面（展示面という）上に自立状態で陳列されることもある。特許文献１には、自立状態で陳列されるのに適したブリスターパックが開示されている。特許文献１のブリスターパックは、商品が固定される台紙の下部に自立用底部が形成されており、当該自立用底部は、展示面に面するように当該展示面上に載置される底面部を有する。
【先行技術文献】
【特許文献】
【０００３】
【特許文献１】特開第２０１４−１３３５８５号公報
【発明の概要】
【発明が解決しようとする課題】
【０００４】
しかしながら、上記のとおりの特許文献１の構成では、商品を支持した状態の展示体は必ずしも安定せず、転倒の可能性がある。すなわち、台座の底面部が常に平面状であればよいが、底面部が一定以上の大きさを占めるようになると、商品の重力や他のパーツから不均一に引っ張られることで、底面部は湾曲面を描き得る。そうすると、商品を支持した状態の展示体がこのような面で支持されるとき、その自立状態は安定性を欠くことになり兼ねない。また、底面部が常に平面状であったとしても、底面部が展示面に広く面で接触する場合には、展示体が展示面上をスライドしてしまい、やはり転倒の可能性がある。
【０００５】
本発明は、安定した自立状態を保つことが可能な商品を展示するための展示体、及びこれを備えるパッケージ製品を提供することを目的とする。
【課題を解決するための手段】
【０００６】
本発明の第１観点に係る展示体は、商品を展示状態で展示しつつ、展示面上に自立可能な展示体であって、第１側部、第２側部及び下部を有する表面部材と、前記展示状態で、前記表面部材と対面するように配置され、前記商品を前記表面部材の反対側に突出する態様で支持する裏面部材と、前記展示状態で、前記表面部材及び前記裏面部材を起立させる台座とを備える。前記台座は、前記展示状態で、前記裏面部材との間に前記展示面に面する空間を形成するように、前記表面部材の前記第１側部から前記表面部材の前記第２側部まで延びる。なお、ここでいう「表面部材」及び「裏面部材」は、展示状態での「表」「裏」とは必ずしも関係なく、従って、展示状態で主として人が視認する面は「表面部材」及び「裏面部材」のいずれであってもよい。
【０００７】
ここでは、表面部材と商品を支持する裏面部材とが、展示面上に台座により起立させられる。この台座は、展示状態で、裏面部材との間に展示面に面する空間を形成するように、表面部材の第１側部から第２側部まで延びるように構成される。すなわち、台座が、表面部材及び裏面部材の側方に配置されるとともに、裏面部材との間に空間を空けて裏面部材の後側とに配置される。また、当該空間は展示面に面しており、言い換えると、当該空間の下方において、展示面に接触する底面部が省略されている、或いは部分的にしか設けられていない。従って、ここでの展示体、ひいては商品が取り付けられた状態の展示体（以下、パッケージ製品）は、湾曲面を描き得る大きな底面部が省略されており、転倒の可能性が低く、安定した自立状態を保つことができる。
【０００８】
本発明の第２観点に係る展示体は、第１観点に係る展示体であって、前記台座は、前記展示状態で、前記裏面部材に支持された状態の前記商品の少なくとも一部を囲むように、前記表面部材の前記第１側部から前記表面部材の前記第２側部まで延び、前記第１側部側から前記第２側部側に向かって前記商品を押しつつ、前記第２側部側から前記第１側部側に向かって前記商品を押すように、前記商品に当接する。
【０００９】
ここでは、展示状態において、商品が台座に当接して、両側から中央に向かう方向に横方向に押されるため、商品の横ずれが防止される。従って、パッケージ製品の自立状態がさらに安定する。
【００１０】
本発明の第３観点に係る展示体は、第１観点又は第２観点に係る展示体であって、前記第１側部及び前記第２側部の少なくとも一方と、前記台座とは、ミシン目が形成された境界線を挟んで一体的に構成されている。
【００１１】
ここでは、表面部材と台座との側方の境界に沿ってミシン目が形成されているため、表面部材に連結される台座の後方への折り込みが容易になるとともに、パッケージ製品の開封が容易になる。
【００１２】
本発明の第４観点に係る展示体は、第１観点から第３観点のいずれかに係る展示体であって、前記台座は、前記第１側部に連結される第１側壁部と、前記第２側部に連結される第２側壁部と、前記展示状態で、前記第１側壁部と前記第２側壁部とを連結し、前記裏面部材に前記空間を挟んで対面する後壁部とを有する。前記後壁部は、前記展示状態で、前記展示面に接触する。前記表面部材の前記下部には、前記後壁部とともに前記展示面に接触して、当該展示体を起立させる突起が形成されている。
【００１３】
ここでは、台座の後壁部と、表面部材の突起とが底面部に接触することで、展示体が支持される。従って、パッケージ製品が表面部材の下端部全体で支持される場合よりも、パッケージ製品の自立状態がさらに安定する。
【００１４】
本発明の第５観点に係る展示体は、第１観点から第４観点のいずれかに係る展示体であって、前記商品は、商品本体と、前記商品本体を収容する容器とを有する。前記容器は、底面部と、前記底面部から起立する側面部と、前記側面部における前記底面部の反対側の端部から周方向外方へ延びるフランジ部とを含む。前記裏面部材は、前記側面部を前記底面部側から前記底面部の反対側の端部側まで通すことのできる形状の引っ掛け孔を有する。前記商品は、前記裏面部材における前記引っ掛け孔の周辺の部位に前記フランジ部を引っ掛けることにより、前記表面部材の反対側に突出する態様で前記裏面部材に支持される。
【００１５】
本発明の第６観点に係る展示体は、第５観点に係る展示体であって、前記裏面部材の端部に連結され、前記展示状態で、前記裏面部材に対面するように折り返されて、前記裏面部材に対し前記フランジ部を押えるように、前記裏面部材と前記表面部材との間に配置される押え面部をさらに備える。
【００１６】
ここでは、裏面部材から折り返されて、裏面部材と表面部材との間に配置される押え面部により、商品のフランジ部が裏面部材に対し押えられる。これにより、裏面部材の引っ掛け孔に引っ掛けられている商品の、裏面部材からの脱落が防止される。また、これにより、パッケージ製品の自立状態がさらに安定する。
【００１７】
本発明の第７観点に係る展示体は、第１観点から第６観点のいずれかに係る展示体であって、前記裏面部材の端部に連結され、前記展示状態で、前記裏面部材に対面するように折り返されて、前記裏面部材と前記表面部材との間に配置される押え面部をさらに備える。前記押え面部は、前記展示状態で、前記裏面部材の反対側に膨出する湾曲面を描き、前記裏面部材との間に一定の空間を形成するように構成される。
【００１８】
ここでは、押え面部が裏面部材の反対側に膨出する湾曲面を描き、裏面部材との間に一定の空間を形成する。これにより、当該空間及び押え面部が緩衝材として機能し、輸送時等におけるパッケージ製品の破損が防止される。
【００１９】
本発明の第８観点に係る展示体は、第１観点から第７観点のいずれかに係る展示体であって、前記台座は、前記展示状態で、前記表面部材及び前記裏面部材を前記裏面部材側に傾くように起立させる。
【００２０】
ここでは、表面部材及び裏面部材が裏面部材側に傾くように起立させられる。従って、表面部材側からパッケージ製品を見る者に、表面部材が視認し易くなる。本構成は、表面部材に商品説明等の情報が印字される場合に、特に効果的である。
【００２１】
本発明の第９観点に係るパッケージ製品は、第１観点から第８観点のいずれかに記載の展示体と、前記展示体に支持された状態の前記商品とを備える。
【発明の効果】
【００２２】
本発明によれば、表面部材と商品を支持する裏面部材とが、展示面上に台座により起立させられる。この台座は、展示状態で、裏面部材との間に展示面に面する空間を形成するように、表面部材の第１側部から第２側部まで延びるように構成される。すなわち、台座が、表面部材及び裏面部材の側方に配置されるとともに、裏面部材との間に空間を空けて裏面部材の後側とに配置される。また、当該空間は展示面に面しており、言い換えると、当該空間の下方において、展示面に接触する底面部が省略されている、或いは部分的にしか設けられていない。従って、ここでの展示体、ひいてはパッケージ製品は、湾曲面を描き得る大きな底面部が省略されており、転倒の可能性が低く、安定した自立状態を保つことができる。
【図面の簡単な説明】
【００２３】
【図１】本発明の一実施形態に係る空気清浄器を示す斜視図である。
【図２】図１の空気清浄器の平面図である。
【図３】図２の空気清浄器の断面図である。
【図４】図１の空気清浄器におけるフランジ部の一部平面図（ａ）及び断面図（ｂ）である。
【図５】図１の空気清浄器におけるフランジ部の拡大断面図である。
【図６】図１の空気清浄器の使用方法を示す断面図である。
【図７】図１の空気清浄器の他の使用方法を示す断面図である。
【図８】本発明の一実施形態に係るパッケージ製品の正面図である。
【図９】図８のパッケージ製品の背面図である。
【図１０】裏面部材の左側部側から見た図８のパッケージ製品の側面図である。
【図１１】裏面部材の右側部側から見た図８のパッケージ製品の側面図である。
【図１２】図８のパッケージ製品の底面図である。
【図１３】展示体の展開図である。
【図１４】組立途中の展示体を示す図である。
【図１５】組立途中の展示体を示す別の図である。
【図１６】完成体の展示体を示す図である。
【図１７】２つのパッケージ製品を積み重ねた状態の底面図である。
【発明を実施するための形態】
【００２４】
以下、図面を参照しつつ、本発明の一実施形態に係る展示体を備えるパッケージ製品について説明する。
【００２５】
＜１．全体構成＞
図８〜図１２は、本実施形態に係るパッケージ製品５を様々な方向から見た図である。これらの図に示すように、パッケージ製品５は、ゲル状の薬剤２入りの空気清浄器１００と、これを展示用に支持する展示体６とを備えている。ただし、展示体６は、このような空気清浄器１００以外の商品を展示する用途にも利用可能である。本実施形態に係るパッケージ製品５は、空気清浄器１００を販売するに当たり、販売促進のため、展示体６により空気清浄器１００を支持することで、空気清浄器１００を美しく展示できるように構成したものである。パッケージ製品５は、陳列棚等の展示面上に自立させた状態で設置するのに適した構成を備えている。以下、空気清浄器１００について説明した後、これを支持する展示体６について説明する。
【００２６】
＜２．空気清浄器＞
図１は、空気清浄器１００の斜視図、図２はその平面図、図３はその断面図である。図１〜図３に示すように、この空気清浄器１００は、上部に開口１１１を有し、ゲル状の薬剤２が収容される容器１を備えている。また、この空気清浄器１００には、容器１の上部開口１１１を塞ぐようにカバーシート３が取り付けられ、さらに、このカバーシート３を覆うようにガス不透過性の遮水シート４が取り付けられている。以下、各部材について説明する。
【００２７】
＜２−１．容器＞
容器１は、上部に矩形状の開口１１１を有する直方体状の容器本体１１と、この容器本体１１の開口１１１の周縁から周方向外方に延びるフランジ部１２とを備えており、これらが一体的に形成されている。なお、容器１の説明時における「上下」とは、特に断らない限り、容器１の底壁１１２を水平面上に載置した状態を基準に定義される。従って、底壁１１２側が下方であり、開口１１１側が上方である。容器本体１１は、矩形状の底壁１１２（底面部）と、この底壁１１２の各辺から上方に延びる４つ側壁１１３（側面部）とを備え、これら底壁１１２と側壁１１３とは一体的に形成されている。上記開口１１１は、底壁１１２の反対側において、側壁１１３により規定される。各側壁１１３は、上方にいくにしたがって、外方に向ってやや傾斜するように底壁１１２から起立している。そして、各側壁１１３の上端部には、水平方向に延びるフランジ部１２が形成されており、平面視において容器１が矩形状になるように一体的に連結されている。また、フランジ部１２の４つの角部は円弧状に形成されている。なお、本実施形態では、フランジ部１２は、周方向全体に亘って形成されているが、周方向に亘って局所的に形成されていてもよい。
【００２８】
容器１の形状は、特には限定されないが、例えば、側壁１１３を底面として自立できるような形状とすることができる。例えば、側壁１１３の長さを底壁１１２よりも長くしてもよいし、あるいは側壁１１３の長さが底壁１１２よりも短かったとしても、側壁１１３は、底面として自立できるような長さであればよい。
【００２９】
この容器１を構成する材料は特には限定されず、種々の樹脂材料で形成することができる。しかしながら、流通時や誤って転落した場合等、パッケージ製品５に予期せぬ外力が加わることがある。従って、そのような場合にも、パッケージ製品５を保護することができる程度の可撓性を有する軟質の材料で形成することが好ましい。例えば、図３に示すように、ポリエチレンテレフタレートからなる外層１１０と、その内側に積層され、ポリエチレンからなる内層１２０と、で形成することができる。この構成の場合、容器本体１１の内部空間側の内壁面は、内層１２０で形成され、外壁面は外層１１０で形成される。また、フランジ部１２は、上面が内層１２０で形成され、下面が外層１１０で形成される。但し、容器１を構成する材料は、これ以外でもよいが、例えば、後述するように、カバーシート３との溶着を容易にするという観点からすると、カバーシート３と対向する層、つまり内層１２０の融点が、外層１１０の融点よりも低いことが好ましい。また、容器１は、１層で形成することもできるし、３層以上で形成することもできる。なお、容器１に可撓性がある場合、容器１がやや転倒しやすくなるが、上記フランジ部１２により、開口１１１が下方を向くまで転倒する可能性は低いと言える。
【００３０】
また、容器１は、その全体が透明（半透明を含む）に形成されており、外部から内部を視認可能である。従って、容器１内に封入された薬剤２がキラキラと輝く様を外部から視認することができ、空気清浄器１００の美観が高められている。
【００３１】
＜２−２．カバーシート＞
次に、カバーシート３について説明する。カバーシート３は、吸水性及び通気性を有するシートで形成され、例えば、多孔性のシートや不織布により形成することができる。不織布としては、例えば、シルク、麻、羊毛、コットン、パルプ、ポリエチレン、ポリエチレンテレフタレート、アセテート、ナイロン、アクリル、ビニロン、キュプラ、エチレン酢酸ビニル、レーヨン、ポリエステル、ポリプロピレン、ポリウレタン、ポリ塩化ビニルなどからなる繊維、又はこれらを組み合わせた複合繊維により形成することができる。
【００３２】
不織布を構成する繊維としては、例えば、芯鞘構造の繊維からなる不織布を用いることができる。この場合、例えば、ポリエチレンテレフタレートからなる芯材と、これを被覆するポリエチレンからなる鞘材とで形成された不織布を用いることができる。
【００３３】
また、このような不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法などの方法により製造することができる。
【００３４】
＜２−３．遮水シート＞
遮水シート４は、上述したカバーシート３を外側から覆うものであり、液不透過性であれば特には限定されない。例えば、ポリエチレン等を主成分とする樹脂製のシートで構成することができるが、その他、ポリエステル、ポリビニルアルコール、ポリプロピレン、ナイロン、セロファン、ビニロン、塩化ビニルなどを用いることもできる。また、複数の層で形成することでき、後述するように、カバーシート３への取付を考慮すると、カバーシート３と同種の材料を含む複数の層で形成することができる。例えば、図３に示すように、下から、ポリエチレンからなる第１層４１、ナイロンからなる第２層４２、及びポリエチレンテレフタレートからなる第３層４３を積層した３層構造のシートで形成することができる。図３の例では、遮水シート４においてカバーシートと対向する第１層４１と、カバーシート３とが同種の材料であるため、両シート３，４の溶着が容易になる。また、溶着を容易にするという観点からすると、カバーシート３と接する層は、他の層と比べ、融点が最も低い材料であることが好ましい。但し、遮水シート４の層構造は、これ以外でもよい。
【００３５】
＜２−４．薬剤＞
薬剤２は、ゲル状である。また、薬剤２の形状は、種々の形状とすることができ、例えば、球状、直方状、星型等の幾何学体であってもよく、また動物、植物、アニメキャラクター等の特殊形状であってもよいが、本実施形態では、ビーズのような玉状に形成される。また、本実施形態では、このようなビーズ状の薬剤２の多数の玉が、容器１内に収容される。なお、個々の薬剤の形状については、同じ形状であっても、異なる形状であっても構わない。また、薬剤２の形状を、容器１の内部空間の形状と概ね等しい直方体状とすることもできる。
【００３６】
薬剤２は、水分及び機能性成分を含有しており、この水分は、ゲル状のビーズ玉から分離し得る。ここで機能性成分とは、空気清浄器１００が使用される環境で所望の空気清浄器能を発現可能である成分であり、その一例として、芳香成分、消臭成分、防虫成分、抗菌成分等が挙げられる。このような機能性成分は、油性及び水溶性のいずれであってもよい。なお、機能性成分が油性である場合には、薬剤２に油分を含ませておくことが重要である。本発明では、機能性成分として、好ましくは、使用される環境で空気中に揮散可能である成分が挙げられる。これらの機能性成分は、１種単独で使用してもよく、また２種以上を組み合わせて使用してもよい。好ましい組み合わせとしては、芳香成分及び消臭成分の組み合わせが挙げられる。
【００３７】
具体的には、芳香成分としては、例えば、ラベンダ−、レモン、オレンジ、ジャスミン、ペパ−ミント等の天然香料；リモネン、タ−ピノレン、ゲラニオ−ル、シトロネロ−ル、酢酸エチル等の合成香料；及びこれらのブレンド香料等が挙げられる。
【００３８】
また、消臭成分としては、例えば、イネ、松、ヒノキ、笹等の植物の抽出物；脱塩型ベタイン化合物；変性有機酸化合物；トリエタノールアミン；安定化二酸化塩素；アルデヒド化合物等が挙げられる。
【００３９】
防虫成分としては、例えば、ヒノキチオール、ヒバ油、アリルイソチオシアネート、エタノール、プロパノール、１．８．シネオール等が挙げられる。
【００４０】
抗菌成分としては、例えば、オクチルトリメチルアンモニウムクロライド、ジデシルジメチルアンモニウムグルコン酸、クロルヘキシジン、グルコン酸クロルヘキシジン、アリルイソチオシアネート、プロピレングリコールモノメチルエーテル、プロピレングリコールモノプロピルエーテル等が挙げられる。
【００４１】
＜２−５．カバーシート、遮水シートの容器への取付＞
カバーシート３は、容器１のフランジ部１２に取り付けられる。このときの取付方法は、特には限定されないが、例えば、ヒートシールにより取り付けることができる。以下、ヒートシールにより、カバーシート３及び遮水シート４を容器１へ取り付ける方法の一例について、図４及び図５を参照しつつ、説明する。図４は、フランジ部１２の一部平面図（ａ）及び断面図（ｂ）、図５は、フランジ部１２の拡大断面図である。
【００４２】
まず、カバーシート３の周縁部を周方向全体に亘って、ヒートシールにより、フランジ部１２に溶着する。このとき、例えば、カバーシート３が、ポリエチレンの鞘材を有する芯鞘構造の繊維で形成され、フランジ部１２の上面（内層１２０）が同じくポリエチレンで形成されていれば、同種の材料であるため、溶着が容易になる。また、ヒートシールを施す領域（以下、第１溶着領域Ｈ１）は、特には限定されないが、例えば、図４に示すように、フランジ部１２の内周及び外周から隙間を空けた領域とすることができる。これにより、フランジ部１２の内周縁から第１溶着領域Ｈ１までの間は、カバーシート３がフランジ部１２を覆っているが、図５に示すように、フランジ部１２には固定されておらず、カバーシート３がフランジ部１２から離間可能となっている（符号Ｓ３の領域）。こうして、カバーシート３がフランジ部１２に溶着されると、その領域Ｈ１では不織布が溶融され、緻密な樹脂となる。なお、不織布として芯鞘構造の繊維で形成されたものを用いる場合には、ヒートシールの温度は、鞘材の融点よりも高く、芯材の融点よりも低くすることが好ましい。
【００４３】
続いて、遮水シート４をカバーシート３上に配置し、ヒートシールにより、遮水シート４をカバーシート３に固定する。このとき、上述したカバーシート３の第１溶着領域Ｈ１に、遮水シート４の周縁部を周方向全体に亘って溶着する。すなわち、第１溶着領域Ｈ１よりも狭い幅に亘ってヒートシールを施し（この領域を、以下、第２溶着領域Ｈ２と称する）、遮水シート４をカバーシート３に固定する。このとき、遮水シート４の下面（第１層４１）がポリエチレンで形成され、カバーシート３が上述したポリエチレンの鞘材を有する芯鞘構造の繊維で形成されていれば、同種の材料であるため、溶着が容易に行われる。こうして、フランジ部１２には、カバーシート３、及び遮水シート４がこの順で積層され、固定される。
【００４４】
上記のとおり、容器１では、カバーシート３とフランジ部１２との間に、容器１の内部空間に連通する空間Ｓ３が形成される。この空間Ｓ３は、本実施形態では、カバーシート３の周縁部において周方向全体に亘って形成されるが、周方向に亘って部分的に形成されるようにすることもできる。この場合、カバーシート３において、周方向に亘って少なくとも後述する展示状態で下方にくる部分に対応する部分に形成することが好ましい。この空間Ｓ３は、後述されるとおり、薬剤２から漏出した水分を捕捉する空間として機能し得るからである。
【００４５】
また、遮水シート４とカバーシート３とは、その周縁部の第２溶着領域Ｈ２において溶着されるのみで、第２溶着領域Ｈ２の内側は溶着されない。そのため、遮水シート４とカバーシート３との間には空間Ｓ３（図５参照）が形成されるようになっている。
【００４６】
＜２−６．空気清浄器の使用方法＞
続いて、上記のように構成された空気清浄器１００の使用方法について説明する。まず、図６に示すように、遮水シート４をカバーシート３から取り外す。これにより、カバーシート３が外部に露出する。カバーシート３は、通気性を有するため、外部からカバーシート３を介して、容器１内に空気が流入可能となる。そして、流入した空気に含まれる臭気は、ゲル状成形体に含まれる消臭成分と反応することにより浄化され、カバーシート３から外部へ排出される。このような空気の流入、浄化、及び排出を繰り返すことで、空気清浄器１００が配置された周囲の空気が浄化されていく。また、空気清浄器１００は、図７のような傾けた状態でも使用することができる。
【００４７】
＜３．展示体＞
次に、図８〜図１７を参照しつつ、展示体６の構成について説明する。図８〜図１１は、陳列棚等の展示面上で自立した状態のパッケージ製品５をそれぞれ前方、後方、左側方、右側方から見た図である。また、図１２は、パッケージ製品５の底面図である。図１３〜図１６は、組立途中の展示体６を示す図である。なお、以下の説明において「前後」「上下」「左右」とは、図８〜図１２に示すとおりに定義され、特に断らない限り、この定義に従うものとする。
【００４８】
以下では、まず、展示体６を図１３に示す完全に展開した状態から、空気清浄器１００を加えてパッケージ製品５の完成体となるまで組み立ててゆく作業について説明した後、パッケージ製品５の完成体の特徴について説明する。
【００４９】
＜３−１．展示体の組み立て＞
展示体６は、概ね一定の厚みを有する厚紙を図１３に示す形状に切り取ったものであり、後述される展示体６の各部位は、一体的に形成されている。展示体６は、矩形状の表面部材６０と、矩形状の裏面部材７０とを有する。表面部材６０には、特に開口は形成されていない一方、裏面部材７０には、後述する開口７５が形成されているが、両者の外形は概ね一致する。表面部材６０と裏面部材７０とは、最終的なパッケージ製品５の展示状態でのそれぞれの上部６１，７１において連結されており、この上部６１，７１どうしの境界線Ｌ１に沿ってミシン目が形成されている。そして、この境界線Ｌ１に沿って一方を他方に対して折り返したとき、表面部材６０の後面６０ｂと、裏面部材７０の前面７０ａとが対面する。
【００５０】
なお、図１３は、完全に展開した状態の展示体６を、表面部材６０の後面６０ｂ側及び裏面部材７０の前面７０ａ側から見た図となっている。パッケージ製品５の完成体の状態では、表面部材６０の後面６０ｂ及び裏面部材７０の前面７０ａは、主として外部から見えない位置に配置され、その反対側の表面部材６０の前面６０ａ及び裏面部材７０の後面７０ｂは、主として外部から視認可能な面となる（図８及び図９参照）。
【００５１】
表面部材６０の左側部６３（第１側部）及び右側部６４（第２側部）の下部６２側の位置には、台座部材８０（台座）が連結されている。台座部材８０は、左側壁部８１（第１側壁部）、右側壁部８２（第２側壁部）及び後壁部８３を備えている。そして、左側部６３に連結されている部分が左側壁部８１であり、右側部６４に連続されている部分が右側壁部８２である。また、後壁部８３は、右側壁部８２における表面部材６０と反対側の端部に連結されている。後壁部８３は、最終的なパッケージ製品５の展示状態で、左側壁部８１と右側壁部８２とを連結し、表面部材６０に折り重ねられた裏面部材７０に空間Ｓ１（図９及び図１２参照）を挟んで対面する部材となる。そのため、後壁部８３における右側壁部８２と反対側の端部には、挿入片８４が連結されており、左側壁部８１には、当該挿入片８４が挿入される上下方向に延びる切り込み８１ａが形成されている。
【００５２】
左側部６３と左側壁部８１との境界線Ｌ２に沿っては、ミシン目が形成されており、右側部６４と右側壁部８２との境界線Ｌ３に沿っては、ミシン目が形成されている。そして、これらのミシン目により、左側壁部８１及び右側壁部８２をそれぞれ境界線Ｌ２，Ｌ３に沿って後方へ折り返し易くなっている。また、右側壁部８２と後壁部８３との境界線Ｌ４に沿っては、折罫線が施されており、後壁部８３を境界線Ｌ４に沿って、表面部材６０の後面６０ｂ側から見て左方へ折り返し易くなっている。また、図１３に示すとおり、左側壁部８１には、切り込み８１ａの延びる方向に沿って上端から下端まで延びる線Ｌ５に沿って、折罫線が施されている。従って、左側壁部８１の左端部を線Ｌ５に沿って、表面部材６０の後面６０ｂ側から見て右方へ容易に折り返すことができる。そして、以上の折り返しを行うと、上記挿入片８４が切り込み８１ａへ挿入可能となる。
【００５３】
表面部材６０の下部６２には、下方へ突出する突起６２ａ，６２ｂが形成されている。突起６２ａ，６２ｂは、それぞれ下部７２の左端及び右端から下部７２の左右方向の幅の概ね１／３の位置に配置されている。突起６２ａ，６２ｂの突出方向の長さは等しく、特に本実施形態では、両者は概ね同じ形状を有する。詳細は後述するが、これらの突起６２ａ，６２ｂは、台座部材８０の後壁部８３とともに、パッケージ製品５を起立させるための部位となる。
【００５４】
裏面部材７０には、５つの開口（引っ掛け孔）７５が形成されている。これらの開口７５は、各々、空気清浄器１００を引っ掛けて固定するため開口であり、同じ形状を有している。開口７５の形状は、容器１の開口１１１の形状と概ね等しい略矩形形状である。従って、この開口７５には、空気清浄器１００の側壁１１３を底壁１１２側から開口１１１側まで通すことができるが、フランジ部１２は通すことができない。よって、フランジ部１２は、裏面部材７０における開口７５の周囲の部位に引っ掛けられることになる。５つの開口７５は、左側に２段かつ右側に３段の態様で形成されており、右側最上段の開口７５の左側であって、左側上段の開口７５の上方には、開口７５は形成されていない。
【００５５】
また、裏面部材７０の左側部７３及び右側部７４には、それぞれ左押え面部９１及び右押え面部９２が連結されている。左押え面部９１及び右押え面部９２は、それぞれ裏面部材７０の左側部７３及び右側部７４の上下方向全体に亘って連結されている。左押え面部９１及び右押え面部９２と、裏面部材７０との境界線Ｌ６，Ｌ７に沿っては、ミシン目が形成されている。そして、これらのミシン目により、左押え面部９１及び右押え面部９２をそれぞれ境界線Ｌ６，Ｌ７に沿って、裏面部材７０の前面７０ａ（図１３において視認できる面）と対面するように折り返し易くなっている。
【００５６】
左押え面部９１及び右押え面部９２は、概ね左右対称な形状を有している。また、左押え面部９１及び右押え面部９２の左右方向の幅は、裏面部材７０の左右方向の幅に比べて半分よりも短く、従って、両押え面部９１，９２を折り返したときに、両押え面部９１，９２は接触しない。一方、左押え面部９１は、左側の開口７５に部分的に重なり、同様に右押え面部９２は、右側の開口７５に部分的に重なる。その結果、開口７５に通された状態の空気清浄器１００のフランジ部１２を裏面部材７０に対し押え付けることができる。両押え面部９１，９２は、パッケージ製品５の完成体の状態で、裏面部材７０と表面部材６０との間に挟まれるように配置される。なお、左右の押え面部９１，９２は、折り返したときに開口７５に全く重ならないように構成してもよいが、フランジ部１２の少なくとも一部に重なるように構成することが好ましい。
【００５７】
パッケージ製品５を組み立ててゆくに当たっては、まず、以上の５つの開口７５に、各々１つずつ空気清浄器１００をセットする。このとき、空気清浄器１００を裏面部材７０の前面７０ａ（図１３において視認できる面）側から通し、フランジ部１２が裏面部材７０の前面７０ａと接触するようにする。その結果、空気清浄器１００は、裏面部材７０の前面７０ａ側から後方へ、すなわち、表面部材６０と反対側へ突出するような態様で、裏面部材７０に支持される。図１３には、右側最上段の開口７５に引っ掛けたときの空気清浄器１００の位置が点線で示されている。
【００５８】
その後、図１４に示すように、左右の押え面部９１，９２を境界線Ｌ６，Ｌ７に沿って、裏面部材７０と対面するように概ね１８０°折り返す。これにより、押え面部９１，９２は、開口７５にセットされている空気清浄器１００のフランジ部１２にも対面する状態となる。なお、図１４〜図１６には空気清浄器１００が示されていないが、実際にパッケージ製品５を組み立てる際には、図１４〜図１６の状態では、各開口７５に空気清浄器１００がセットされている。
【００５９】
次に、図１５に示すように、裏面部材７０を境界線Ｌ１に沿って、表面部材６０と対面するように概ね１８０°折り返す。続けて、図１５の状態から、台座部材８０の左側壁部８１を境界線Ｌ２に沿って右方へ概ね９０°折り返すとともに、左側壁部８１の左端部を線Ｌ５に沿って右方へ概ね９０°折り返す。同様に、台座部材８０の右側壁部８２を境界線Ｌ３に沿って左方へ概ね９０°折り返すとともに、後壁部８３を境界線Ｌ４に沿って左方へ概ね９０°折り返す。なお、台座部材８０の上記各部は、手で力を加えて折り返したとしても、手を離すとある程度元の状態に戻ろうとする。しかしながら、挿入片８４を切り込み８１ａに挿入することにより、左側壁部８１及び後壁部８３が互いに固定され、元の状態へ開こうとするのを防止することができる。図１６は、挿入片８４を切り込み８１ａに挿入した状態を示している。同図に示すように、この状態では、台座部材８０は、裏面部材７０との間に空間Ｓ１を形成しつつ、表面部材６０の左側部６３から右側部６４まで連続的に延びる形状となる。
【００６０】
＜３−２．パッケージ製品の完成体＞
以上の手順により、図８〜図１２に示すパッケージ製品５が作成される。パッケージ製品５は、図８〜図１１に示すとおり、台座部材８０を下方に向けた状態で、水平な展示面上に安定的に起立することができる。これは、１つには、台座部材８０により支持される表面部材６０、裏面部材７０及び左右の押え面部９１,９２が立体的な多層構造を形成しており、これらの複合体としての厚みが確保されるからである。その結果、特に空気清浄器１００に由来するパッケージ製品５の重みにより、これらの複合体の矩形形状が崩壊してしまうことがない。
【００６１】
また、突起６２ａ，６２ｂは、表面部材６０の下部６２よりも僅かに下方へ突出している。そのため、パッケージ製品５の展示状態において展示面上に接触するのは、原則として、台座部材８０の後壁部８３の下端縁全体と、表面部材６０の突起６２ａ，６２ｂとだけになる。また、原則として、台座部材８０の左側壁部８１の下部、右側壁部８２の下部、及び左右の押え面部９１,９２の下部は、展示面から僅かに浮き上がり、展示面に接触しない。その結果、台座部材８０は、表面部材６０、裏面部材７０及び左右の押え面部９１,９２が上方へ向かうにつれて後方へ僅かに傾斜するように、これらの部材６０，７０，９１,９２を起立させることになる（図１０及び図１１参照）。これにより、裏面部材７０に支持されている空気清浄器１００の重量によりパッケージ製品５が前方へ転倒してしまう事態が防止され、パッケージ製品５は安定した自立状態を保つことができる。なお、裏面部材７０の下部７２は、展示面に接触することがあるが、仮に接触するとしても、表面部材６０の突起６２ａ，６２ｂの近傍に位置するため、上述のパッケージ製品５の後傾姿勢が大きく崩れることはない。むしろ、このような裏面部材７０の下部７２と展示面との接触は、後壁部８３及び突起６２ａ，６２ｂとともに、パッケージ製品５を起立させるのに役立つ。左右の押え面部９１,９２についても、同様である。
【００６２】
また、台座部材８０は、パッケージ製品５の展示状態において、表面部材６０とともに環状の構造体を形成する。本実施形態では、この環状の構造体内に位置する空間Ｓ１は下方が完全に開口しており、展示状態において空間Ｓ１の下方に展示面に面するような底面部材は配置されていない（図１２参照）。すなわち、空間Ｓ１自体が、展示面に面している。なお、本実施形態では、裏面部材７０と表面部材６０との間に形成される空間についても、同様に下方が完全に開口している。ところで、このような底面部材は、商品の重力や他のパーツから不均一に引っ張られることで下方へ膨出するように変形することがある。或いは、例えば、湿度環境によっても、変形することがある。そして、このような膨出部分が展示面に接触すると、本来展示面に接触することが予定されている後壁部８３や突起６２ａ，６２ｂが展示面から浮き上がってしまい、パッケージ製品５の自立性が損なわれ得る。しかしながら、本実施形態では、このような底面部材が存在せず、空間Ｓ１の下方が開放されているため、パッケージ製品５が後壁部８３及び突起６２ａ，６２ｂにより安定的に支持される。なお、上記のとおり、裏面部材７０や左右の押え面部９１,９２が展示面に接触することはあり得るが、空間Ｓ１の下方を塞ぐような底面部材がある場合に比べると、パッケージ製品５の自立性を損なうほどではない。さらに、上記のような底面部材が存在しないことにより、空間Ｓ１内に埃等が溜まってしまうことがなく、長期間展示状態が続いたとしても、パッケージ製品５を綺麗に見せることができる。
【００６３】
図１２に示すように、台座部材８０は、パッケージ製品５の完成体の状態で、裏面部材７０に支持された状態の空気清浄器１００を囲むように、表面部材６０の左側部６３から右側部６４まで延びる。このとき、台座部材８０及び表面部材６０は、底面視において概ね台形状の閉ループを構成し、空気清浄器１００の底壁１１２側の角部が台座部材８０に当接する。このため、台座部材８０は、左側部６３側から右側部６４側に向かって空気清浄器１００を押すとともに、右側部６４側から左側部６３側に向かって空気清浄器１００を押す。そのため、空間Ｓ１内の空気清浄器１００は両側から中央に向かう方向に横方向に押されるため、横ずれが防止される。ひいては、パッケージ製品５の自立状態がさらに安定する。
【００６４】
また、図１２及び図１７に示すとおり、左右の押え面部９１，９２は、パッケージ製品５の完成体の状態で、裏面部材７０の反対側に膨出する湾曲面を描き、裏面部材７０との間に一定の空間Ｓ２を形成する。これにより、空間Ｓ２を含む裏面部材７０と表面部材６０との間の空間、及び押え面部９１，９２が緩衝材として機能し、パッケージ製品５が前後方向からの衝撃に対し良好なクッション性を示す。また、容器１が十分な可撓性を有する場合には、この容器１もクッション性の向上に寄与する。さらに、容器１内のビーズ状の多数の薬剤の玉も、玉間の空間に衝撃を逃がしたり、玉の移動により運動エネルギーを消費したりすることで、クッション性の向上に寄与する。さらに、パッケージ製品５の完成体の状態では、左右の押え面部９１，９２だけでなく裏面部材７０も、台座部材８０側に膨出する湾曲面を描く。この裏面部材７０の構造も、上記クッション性の向上にさらに寄与する。以上より、パッケージ製品５は、外力に対する耐久性が高く、展示体６や容器１が破損してしまうことが防止される。よって、パッケージ製品５を保護することができるとともに、輸送時等の緩衝材を減らすことができる。
【００６５】
なお、輸送時等においてパッケージ製品５を積み重ねるときには、図１７に示すように、空気清浄器１００が下方に位置し、表面部材６０が上方に位置するように配置することが好ましい。ゲル状の薬剤２から分離した水分が過度にカバーシート３側に流れないようにするためである。ただし、本実施形態では、上記のとおり、遮水シート４及びカバーシート３により容器１の開口が密封されているため、パッケージ製品５を逆に積み重ねたとしても、水分の漏洩は防止されている。
【００６６】
また、台座部材８０と表面部材６０とにより囲まれる空間内では、空気清浄器１００は、台座部材８０との間にも、表面部材６０との間にも、前後方向の隙間が殆どない状態で配置される。そのため、空気清浄器１００のフランジ部１２は、左右の押え面部９１，９２を表面部材６０に押し付けた状態となる。従って、押え面部９１，９２に連結されている裏面部材７０の、台座部材８０側への移動が規制される。また、同時に、空気清浄器１００のフランジ部１２は、押え面部９１，９２により、裏面部材７０に対し押される。そのため、空気清浄器１００がしっかりと引っ掛け孔７５内に挿入される。その結果、裏面部材７０の開口７５に引っ掛けられている空気清浄器１００が、裏面部材７０から脱落する事態が防止される。ひいては、パッケージ製品５の自立状態がさらに安定する。
【００６７】
パッケージ製品５の開封は、典型的には以下の手順で行われる。まず、図９に示すように、裏面部材７０に対面する方向を向き、裏面部材７０の開口７５が形成されていない上部左側部分を左手で掴む。これにより、当該箇所で、裏面部材７０、左押え面部９１及び表面部材６０が概ね隙間なく接触し、裏面部材７０と表面部材６０との間に形成される空間が全体的に狭くなる。従って、裏面部材７０からの空気清浄器１００の脱落が益々起こり難くなる。そして、この状態で、台座部材８０の右側壁部８２の上部を掴んで、下方へ引っ張る。そうすると、境界線Ｌ２に沿ってミシン目が形成されているため、右側壁部８２と表面部材６０とが容易に分離され、パッケージ製品５を開封することができる。なお、境界線Ｌ３に沿ってもミシン目が形成されているため、左側壁部８１の上部を掴んで下方へ引っ張り、台座部材８０を材破するようにしてもよい。
【００６８】
なお、左手で把持するのに適した、裏面部材７０の開口７５が形成されていない上部左側部分は、商品説明等の情報を記載するスペースとして利用することができる。また、表面部材６０の前面６１ａ全体も、商品説明等の情報を記載するスペースとして利用することができる。なお、パッケージ製品５は、典型的には、主として購入者の目に付く方向に表面部材６０の前面６１ａ側を向けて、陳列されることになる。すなわち、表面部材６０の前面６１ａが、展示状態で主として人が視認する面となるが、勿論、裏面部材７０の後面７０ｂを主として人が視認できるように、パッケージ製品５を陳列することもできる。
【００６９】
ところで、本実施形態では、展示体６に一切の糊付け等がなされない。しかしながら、上記構成を有することにより、糊付け等を必要とすることなく、安定的に自立可能なパッケージ製品５が提供される。これにより、製造コストが削減されるとともに、開封を容易にすることができる。
【００７０】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００７１】
＜４−１＞
上記実施形態では、展示体６の境界線Ｌ１〜Ｌ３，Ｌ６，Ｌ７に沿ってミシン目が形成され、境界線Ｌ４，Ｌ５に沿って折罫線が形成されていたが、境界線Ｌ１〜Ｌ３，Ｌ６，Ｌ７の少なくとも１つに沿って折罫線を形成してもよいし、境界線Ｌ４，Ｌ５の少なくとも一方にミシン目を形成してもよい。或いは、これらの線Ｌ１〜Ｌ７の少なくとも１つにおいてミシン目や折罫線を形成しないことも可能である。ただし、上記のとおり、パッケージ製品５を容易に開封する観点からは、境界線Ｌ２，Ｌ３の少なくとも一方に沿ってミシン目を形成しておくことが好ましい。
【００７２】
＜４−２＞
上記実施形態では、空間Ｓ１は、下方が完全に開口していたが、部分的に底面部材で塞いでもよい。空間Ｓ１の下方が完全に埋められるように底面部材が敷かれてしまうと、底面部材が湾曲等の変形を起こすことで、当該底面部材が展示面に触れてしまい、パッケージ製品５の自立状態の安定性が損なわれかねない。しかしながら、部分的に底面部材を形成する限りにおいては、底面部材に外力が掛かり難く、底面部材の湾曲の程度も著しくはならない。そのため、部分的に底面部材を形成したとしても、底面部材が展示面に触れることは全くないか、或いは殆どなく、パッケージ製品５の自立状態の安定性が保たれる。なお、パッケージ製品５の展示状態において、空間Ｓ１の最下端での断面積のうち、底面部材により覆われていない面積の割合は、３０％以上であることが好ましく、５０％以上であることがより好ましく、７０％以上であることがさらに好ましく、８０％以上であることがより好ましく、９０％以上であることがより好ましい。
【００７３】
＜４−３＞
展示体６により支持されるべき商品は、空気清浄器１００に限られない。商品の容器の形状は特には限定されず、直方体状以外にも、円筒状など種々の形状にすることができる。また、展示体により支持されるべき商品の数も、複数である必要はなく、１つであってもよい。
【符号の説明】
【００７４】
１  容器
１００  空気清浄器（商品）
１１１  開口
１１２  底壁（底面部）
１１３  側壁（側面部）
１２  フランジ部
２  薬剤（商品本体）
５  パッケージ製品
６  展示体
６０  表面部材
６１  上部
６２  下部
６２ａ，６２ｂ  突起
６３  左側部（第１側部）
６４  右側部（第２側部）
７０  裏面部材
７５  開口（引っ掛け孔）
８０  台座部材（台座）
８１  左側壁部（第１側壁部）
８２  右側壁部（第２側壁部）
８３  後壁部
Ｓ１，Ｓ２  空間
【図１】
2017019533.tif 000003
【図２】
2017019533.tif 000004
【図３】
2017019533.tif 000005
【図４】
2017019533.tif 000006
【図５】
2017019533.tif 000007
【図６】
2017019533.tif 000008
【図７】
2017019533.tif 000009
【図８】
2017019533.tif 000010
【図９】
2017019533.tif 000011
【図１０】
2017019533.tif 000012
【図１１】
2017019533.tif 000013
【図１２】
2017019533.tif 000014
【図１３】
2017019533.tif 000015
【図１４】
2017019533.tif 000016
【図１５】
2017019533.tif 000017
【図１６】
2017019533.tif 000018
【図１７】
2017019533.tif 000019